(57)【要約】      （修正有）【課題】要介護者や介助者が片手で容易に装着することができるサポーター等の筒状装身具を提供する。【解決手段】略円筒形状を呈し両端に開口２，３を備えた胴部４と、該胴部の少なくとも１つの前記開口の外側に形成される把手部７と、を有した筒状装身具であって、前記把手部は、前記開口に臨む前記胴部の端部が前記胴部の外側に折り返されて形成された折り返し部５に手指を挿入可能な袋状に形成された指挿入部７ａを備える。【選択図】図４
0003168584.tif 000002
【実用新案登録請求の範囲】
【請求項１】
略円筒形状を呈し両端に開口を備えた胴部と、該胴部の少なくとも１つの前記開口の外側に形成される把手部と、を有した筒状装身具であって、
前記把手部は、前記開口に臨む前記胴部の端部が前記胴部の外側に折り返されて形成された折り返し部に手指を挿入可能な袋状に形成されている、筒状装身具。
【請求項２】
複数の前記把手部が前記胴部の外周側に形成されている、請求項１に記載の筒状装身具。
【請求項３】
略円筒形状の前記胴部の母線方向に直径の異なる部位を備えている、請求項１又は請求項２に記載の筒状装身具。
【請求項４】
前記胴部が該胴部の両端部に前記開口と前記把手部を備えている、請求項１から請求項３のうちいずれか１項に記載の筒状装身具。
【請求項５】
前記胴部は、一方の端部に前記開口を備え、他方の端部の前記開口が閉じられて爪先が収納される爪先部が形成されている、請求項１から請求項３のうちいずれか１項に記載の筒状装身具。
【請求項６】
前記爪先部は足の親指から小指に対応する扁平形状に形成され、前記把手部は、前記開口の周方向において前記爪先部に足が挿入されたときの親指と小指に対応する位置に形成されている、請求項５に記載の筒状装身具。
【請求項７】
前記開口と前記爪先部との間に前記胴部の強度を補うための環状の補強部が形成されている、請求項５又は請求項６に記載の筒状装身具。
【考案の詳細な説明】
【技術分野】
【０００１】
本考案は筒状編み込み生地を備えた筒状装身具に係り、特に、介護が必要な人達やその介助を行う人達にとって装着が容易な筒状装身具に関する。
【背景技術】
【０００２】
一般に、靴下やサポーター等の装身具は、筒状に編み込まれた伸縮性のある素材を用いて作製されており、その開口部にはゴム製の締め付け部が設けられている。これらの装身具は、開口部のゴム口を押し広げて足先や手先を筒状部の内部に挿入して装着する。この作業は健常者であれば何ら難しい作業ではないが、片手が不自由な人や介護を要する人にとっては困難な作業である。
【０００３】
例えば、下記特許文献１には、靴下やサポーター等の口ゴム部を手の力をあまり必要とせずに、軽く押し広げることが出来るようにして、手等の不自由な人や介護者、腰が思うように曲がらない人、太って腹が出ていて手が足に届かないような人等が挿脱を容易にすることを目的として、足又は腕等に挿脱する介護用の筒編地の一端又は両端に、筒編地と同質、又は、伸縮自在な他の素材で本体より柔らかく大きく伸縮する筒編地を設けた介護用筒編地が開示されている。
【先行技術文献】
【特許文献】
【０００４】
【特許文献１】特開２００１−２００４１１号公報
【考案の概要】
【考案が解決しようとする課題】
【０００５】
しかしながら、特許文献１に記載されている筒編地（靴下、サポーター等）は装着する際に開口部を掴んで（握って）引き上げる必要があり、編地を掴んだり握ったりすることが困難な要介護者らにとって装着作業が煩雑となってしまう課題がある。特に、片手が不自由な人達には難しい作業となる。
【０００６】
本考案は、上記の事情に鑑みてなされたものであり、要介護者や介助者が片手で容易に装着することができる筒状装身具を提供することを例示的課題とする。
【課題を解決するための手段】
【０００７】
上記の課題を解決するために、本考案の例示的側面としての筒状装身具は、略円筒形状を呈し両端に開口を備えた胴部と、該胴部の少なくとも１つの前記開口の外側に形成される把手部と、を有した筒状装身具であって、前記把手部は、前記開口に臨む前記胴部の端部が前記胴部の外側に折り返されて形成された折り返し部に手指を挿入可能な袋状に形成されている。
【０００８】
上記の筒状装身具は、袋状に形成された把手部に片手の手指を胴部側から挿入して引き寄せるだけで、容易に片手で装着することができる。すなわち、数本の指先を把手部に引っ掛けて引き寄せるだけで筒状装身具を装着することができるので、手先や足先を挿入する開口部を掴んだり握ったりする力がほとんど不要となるため、片手の不自由な人や非力な要介護者も容易に装着することができる。脱着するときは、開口の内側に指先を引っ掛けることにより簡単に脱ぐことができる。
【０００９】
袋状の把手部は、胴部の外側に形成された折り返し部を、２〜４本の指先が挿入可能な周方向幅を空けて胴部の長手方向（母線方向）又は周方向に胴部と縫い合わせることにより、容易に形成することができる。把手部の深さ（胴部の長手方向における長さ）は任意に選択することができるが、例えば、把手部に挿入される指先の第二関節が把手部の縁部に掛かる程度の深さに形成することができる。折り返し部は、二重又はそれ以上に折り重ねて形成してもよい。
【００１０】
把手部は開口の外周側に複数形成することができる。これにより、筒状装身具を装着するときに周方向の方向性を気にすることなく、楽な体勢で筒状装身具を装着することができる。
【００１１】
また、筒状装身具の胴部の母線方向に直径の異なる部位を形成することができる。例えば、幅広部（大径部）と幅狭部（小径部）とを形成してもよい。これにより、筒状装身具の幅広部から腕（又は手）や脚（又は足）を挿入するようにすると、装着の作業が容易になるとともに、幅狭部により腕や脚に装着された筒状装身具がずれ落ちることを防止することができる。
【００１２】
筒状装身具の胴部の両端部に開口と把手部を形成してもよい。これにより、筒状装身具を装着するときに長手方向の方向性を気にすることなく装着できるとともに、脱着のときは装着時に手や足を挿入した開口と反対側の開口の外側に形成された把手部を利用して簡単に脱ぐことができる。
【００１３】
筒状装身具は、胴部の一方の端部に開口が形成され、他方の端部の開口が閉じられて爪先が収納される爪先部が形成されるようにしてもよい。一方の開口の外側には把手部が形成されているので、筒状装身具を靴下として使用するときに片手でも容易に装着することができる。
【００１４】
また、上記爪先部は足の親指から小指に対応する扁平形状に形成され、上記筒状装身具の把手部は、開口の周方向において爪先部に足が挿入されたときに足の親指と小指に対応する位置に形成することができる。これにより、筒状装身具を靴下として使用する場合に装着の作業を極めて容易にすることができる。
【００１５】
また、上記筒状装身具は、開口と爪先部の間に胴部の強度を補うための環状の補強部を形成してもよい。筒状装身具を靴下として使用する場合、例えば、足の踵が位置する部分に環状の補強部を形成することにより、筒状装身具の強度を高めるとともに、装着者の踵への衝撃等の負荷を軽減することができる。
【００１６】
また、筒状装身具の胴部を二重又はそれ以上の多重（多層）構造としてもよい。これにより、筒状装身具の耐久性を高めるとともに、装着者に加わる衝撃等の負荷を軽減することができる。特に、筒状装身具を防寒のために装着する場合に胴部に空気の層を設けることができるので防寒性、保温性を高めることができる。二重構造の筒状装身具を作製する場合、１つの筒状編み込み生地を折り返して二重構造としてもよいし、表地と裏地を別の生地で作製してもよい。
【００１７】
上記筒状装身具の折り返し部にゴム編み地を備えるようにしてもよい。これにより、装着された筒状装身具のずれ落ちを容易に防止することができる。また、ゴム編み地が劣化又は破損したときに、ゴム編み地だけを交換できるように構成することもできる。
【考案の効果】
【００１８】
本考案に係る筒状装身具によれば、略円筒形状を呈し両端に開口を備えた胴部と、胴部の少なくとも１つの開口の外側に形成される把手部と、を有した筒状装身具であって、把手部は、開口に臨む胴部の端部が胴部の外側に折り返されて形成された折り返し部に手指を挿入可能な袋状に形成されているので、要介護者や介助者が片手で容易に装着することができる筒状装身具を提供することができる。
【図面の簡単な説明】
【００１９】
【図１】本考案の実施の形態１に係るサポーターの上面図及び正面図である。
【図２】図１のサポーターに係るポケットの形成手段の例を説明するための部分正面図である。
【図３】図１のサポーターの装着方法を説明するための図である。
【図４】図１のサポーターの装着方法及び装着状態を説明するための図である。
【図５】本考案の実施の形態２に係るサポーターの正面図である。
【図６】本考案の実施の形態３に係るサポーターの正面図である。
【図７】本考案の実施の形態４に係る靴下の正面図である。
【図８】本考案の実施の形態５に係る靴下の正面図である。
【考案を実施するための形態】
【００２０】
以下、本考案の実施の形態について図面を参照して説明する。図１は、本考案の実施の形態１に係る筒状装身具を、サポーター１を例に説明するための図であり、図１（ａ）はサポーター１の上面図、図１（ｂ）はサポーター１の正面図である。
【００２１】
実施の形態１に係るサポーター１は、例えば、綿糸、アクリル糸、ポリウレタン糸、ポリエステル糸、ナイロン糸、その他の糸材又はこれらの混紡糸を筒状に編み込んだ生地（以下、単に編み地ということがある）から作製され、縦横に伸縮性の高い構成となっている。本実施の形態に係るサポーター１は、胴部４の長手方向（母線方向、以下同じ）に２倍程度、胴部４の径方向に３倍程度の伸縮性を備えている。
【００２２】
図１（ａ）及び（ｂ）に示されるように、サポーター１は筒状に形成され略円筒形状を呈する胴部４と、この胴部４の両端部に開口２及び３を備えている。一方の開口２（図１（ｂ）において上側）の外側には胴部４の端部が胴部４の長手方向外側に折り返された折り返し部５が形成され、この折り返し部５は、胴部４の長手方向に縫製された複数箇所の縦縫い部６ａと胴部４の周方向に縫製された複数箇所の横縫い部６ｂによって胴部４に縫合されている。なお、説明の便宜上、本明細書において筒状の胴部４の長手方向に縫い目が連続又は断続する部位を「縦縫い部」と呼称し、胴部４の周方向に縫い目が連続又は断続する部位を「横縫い部」と呼称することとする。
【００２３】
隣接する縦縫い部６ａの間の横縫い部６ｂが縫製されていない部分には実施の形態１における把手部となるポケット７が形成されている。ポケット７は、２箇所の縦縫い部６ａによる側部と折り返し部５の折り目の内側に対応する底部７ｂとを備えた袋状に形成されており、底部７ｂの反対側には胴部４の開口２側外周面と折り返し部５の内周面との間が開放された指挿入部７ａが形成されている。
【００２４】
なお、このポケット７は、周方向に少なくとも１つ形成すればよいが、複数のポケット７を形成してもよい。また、ポケット７の深さ、すなわち、指挿入部７ａの縁部からポケット７の底部７ｂまでの長さは任意に選択することができる。実施の形態１においては後述するようにポケット7の深さを手の指先から第二関節まで程度の深さに設定している。なお、本実施の形態1においては、図１（ｂ）に示したポケット７及び指挿入部７ａが反対側（図１の裏面側）にも形成されている。
【００２５】
サポーター１の他方の開口３（図１（ｂ）において下側）は、胴部４の端部が胴部４の外側に折り返されて、この折り返し部が胴部４を周方向に１周する横縫い部６ｃによって胴部４に縫合されている。なお、この開口３においては折り返し部を胴部４の内側に折り返して形成してもよいし、折り返し部を形成しなくてもよい。
【００２６】
図２は、図１に示したサポーター１の開口２の外周に形成されるポケット７の他の形成手段の例を説明するための図であり、図２（ａ）及び（ｂ）はいずれも開口２近傍の状態を示している。なお、図２において図１と同様の部位には同一の符号を付し、詳細な説明を省略する場合がある。
【００２７】
図２（ａ）は、図１（ｂ）に示した縦縫い部６ａを省略して横縫い部６ｂのみで指挿入部７ａの位置を設定してポケット７を形成した例を示す図である。図２（ａ）に示したように横縫い部６ｂだけでポケット７を形成することにより、縫製の作業工程を簡素化することができ、安価なサポーター１を作成することができる。
【００２８】
また、ポケット７に環状に連続するスペースに、環状のゴム編み地の生地を内蔵させるようにしてもよい。このように構成することによって、腕や脚に装着されたサポーター１のずれ落ちを容易に防止することができる。更に、指挿入部７ａの開口部を利用して劣化又は損傷したゴム編み地を容易に交換することができる。
【００２９】
図２（ｂ）は、複数の縦縫い部６ａによって複数のポケット７を周方向に連続して形成する例を示した図である。図２（ｂ）に示したように、折り返し部５に周方向に複数のポケット７を形成することにより、装着時に使用するポケット7を探す必要がない。したがって、サポーター１を腕や脚に装着するときにサポーター１の周方向の位置を気にする必要がなくなるため、楽な体勢でサポーター１の装着を行うことができる。
【００３０】
図３及び図４は、図１に示したサポーター１の装着方法及び装着状態を説明するための図であり、サポーター１を右足８に右手９の指を使って装着する場合を模式的に示している。なお、図３及び図４において図１又は図２と同様の部位には同一の符号を付し、詳細な説明を省略する場合がある。
【００３１】
図３に示すように、まず、装着する方の足８の指先をサポーター１の開口２に向けて移動させる。次に、開口２の外側に手指が数本挿入可能な周方向幅に開口したポケット７に、例えば、手９の人指し指９ｂ、中指９ｃ、薬指９ｄの指先をポケット７の指挿入部７ａから挿入する。続いて、挿入した３本の指９ｂ，９ｃ，９ｄをポケット７の折り返し部５の内周面に当てて開口２が開口するように上方に持ち上げ、開放した開口２に足８の親指８ａから小指８ｂまでを挿入する。なお、装着者が自らサポーター１を装着する際には、脚をクロスさせて右手９で左足（図示せず）に、また、左手（図示せず）で右足８に装着するようにすると装着作業を容易にすることができる。
【００３２】
続いて、図４に示すように、ポケット７に挿入した指９ｂ，９ｃ，９ｄを第二間接で折り曲げて、指９ｂ，９ｃ，９ｄの第二間接あたりを指挿入部７ａの縁に引っ掛けるようにして、サポーター１を足８の膝方向に向けて引き寄せる。以上説明した動作により、片手でも容易にサポーター１を足８に装着することができる。ポケット７の大きさ及び指先の太さに応じて、人指し指９ｂないし小指９ｅのいずれか又は４本全てをポケット７に挿入して引き寄せるようにすればよい。なお、親指９ａはサポーター１の折り返し部５の外側からサポーター１を保持するようにすればよい。
【００３３】
図５は、本考案の筒状装身具の実施の形態２に係るサポーター１０を示す正面図である。なお、図５において図１から図４と同様の部位には同一の符号を付し、詳細な説明を省略する場合がある。
【００３４】
図５に示すサポーター１０の胴部４には、ポケット７が形成された側の開口２から胴部４の長手方向に連続する幅広部（大径部）４１と反対側の開口３側から連続する幅狭部（小径部）４２とが形成されている。また、これらの幅広部４１と幅狭部４２は胴部４の長手方向に滑らかに連続するように形成されている。
【００３５】
実施の形態２のサポーター１０によれば、サポーター１０を装着するときに幅広部４１側の開口２から手や足を挿入することができるので、サポーター１０の装着作業が容易になる利点がある。また、幅広部４１から連続する幅狭部４２により適度な締め付け力で被保護部を包容するので、サポーター１０が装着部からずれ落ちることを効果的に防止することができる。なお、必要に応じて、胴部４の長手方向に複数の幅広部４１や幅狭部４２を形成してもよい。
【００３６】
図６は、本考案の筒状装身具の実施の形態３に係るサポーター１１ａ及び１１ｂを示す正面図である。なお、図６において図１から図５と同様の部位には同一の符号を付し、詳細な説明を省略する場合がある。
【００３７】
図６（ａ）に示すサポーター１１ａには、介助者がサポーター１１ａを簡単に装着及び脱着し易いように、図１に示したサポーター１の開口２側に形成されたポケット７と同様のポケット１７が他方の開口３側にも形成されている。すなわち、開口３の外側には胴部４の端部が胴部４の長手方向外側に折り返された折り返し部１５が形成され、この折り返し部１５は、胴部４の長手方向に縫製された複数箇所の縦縫い部６ａと胴部４の周方向に縫製された複数箇所の横縫い部６ｂによって胴部４に縫合されている。
【００３８】
そして、隣接する縦縫い部６ａの間の横縫い部６ｂが縫製されていない部分には把手部となるポケット１７が形成されている。ポケット１７は、２箇所の縦縫い部６ａによる側部と折り返し部１５の折り目の内側に対応する底部１７ｂとを備えた袋状に形成されており、底部１７ｂの反対側には胴部４の開口３側外周面と折り返し部１５の内周面との間が開放された指挿入部１７ａが形成されている。
【００３９】
ポケット１７の深さ、すなわち、指挿入部１７ａの縁部からポケット１７の底部１７ｂまでの長さは任意に選択することができ、実施の形態３においては開口２側のポケット７と同様に手の指先から第二関節まで程度の深さに設定している。なお、必要に応じて、ポケット７の深さとポケット１７の深さを異ならせるように形成してもよい。この場合、手の大きい人（指の長い人）にも手の小さい人（指の短い人）にも同様の使い勝手の得られるサポーター１１ａを提供することができる。また、必要に応じて、ポケット７の個数とポケット１７の個数を異ならせるように形成してもよい。
【００４０】
実施の形態３のサポーター１１ａによれば、サポーター１１ａの両方の開口２及び３の折り返し部５及び１５に、それぞれ、ポケット７及び１７が形成されているので、サポーター１１ａを装着するときに長手方向の方向性を気にすることなく装着できるとともに、脱着のときは装着時に手や足を挿入した開口２（又は３）と反対側の開口３（又は２）の外側に形成されたポケット１７又は７を利用して簡単に脱ぐことができる。図６（ａ）に示す実施の形態３に係るサポーター１１ａは、例えば、肘用に使用して好適するものである。
【００４１】
図１１（ｂ）は、例えば、膝用に使用して好適するサポーター１１ｂを示す正面図である。サポーター１１ｂにもサポーター１１ａと同様に両方の開口部２，３にポケット７，１７と指挿入部７ａ，１７ａが形成されている。そして、胴部４にはサポーター１１ｂを脚に装着したときに腿が挿通される位置に幅広部４１が形成されるとともに、脛が挿通される位置には幅狭部４２が形成されている。なお、サポーター１１ａ，１１ｂにおいて胴部４の長さや幅広部４１、幅狭部４２を設けるか否かは、サポーター１１ａ，１１ｂの使用目的、用途に応じて任意に選択することができる。
【００４２】
図１から図５に示したサポーター１，１０又は１１ａ，１１ｂの胴部４を二重又はそれ以上の多重（多層）構造としてもよい。これにより、サポーター１，１０又は１１ａ，１１ｂの耐久性を高めるとともに、装着部に加わる衝撃等の負荷を軽減することができる。特に、サポーター１，１０又は１１ａ，１１ｂを防寒のために装着する場合に胴部４に空気の層を形成することができるので防寒性、保温性を高めることができる。二重構造のサポーター１，１０又は１１ａ，１１ｂを作製する場合、１つの筒状編み込み生地を折り返して二重構造としてもよいし、表地と裏地を別の生地で作製してもよい。
【００４３】
図７は、本考案の実施の形態に係る筒状装身具を、実施の形態４として靴下１２を例に説明するための正面図である。なお、図７において図１から図６と同様の部位には同一の符号を付し、詳細な説明を省略する場合がある。
【００４４】
図７に示されるように、靴下１２は筒状に形成され略円筒形状を呈する胴部４と、この胴部４の一端部に開口２を備えている。この開口２の外側には胴部４の端部が胴部４の長手方向外側に折り返された折り返し部５が形成され、この折り返し部５は、胴部４の長手方向に縫製された複数箇所の縦縫い部６ａと胴部４の周方向に縫製された複数箇所の横縫い部６ｂによって胴部４に縫合されている。
【００４５】
隣接する縦縫い部６ａの間の横縫い部６ｂが縫製されていない部分には実施の形態４における把手部となるポケット７が形成されている。ポケット７は、２箇所の縦縫い部６ａによる側部と折り返し部５の折り目の内側に対応する底部７ｂとを備えた袋状に形成されており、底部７ｂの反対側には胴部４の開口２側外周面と折り返し部５の内周面との間が開放された指挿入部７ａが形成されている。また、靴下１２の開口２の反対側の端部は、扁平な袋状に閉じられて爪先部１８が形成されている。
【００４６】
なお、ポケット７は周方向に少なくとも１つ形成すればよいが、複数のポケット７を形成してもよい。実施の形態４においては、開口２の周方向において、靴下１２の爪先部１８に足８（図３参照）が挿入されたときに足８の親指８ａと小指８ｂ（図３参照）に対応する位置にポケット７が形成されている。また、ポケット７の深さ、すなわち、指挿入部７ａの縁部からポケット７の底部７ｂまでの長さは任意に選択することができる。実施の形態４においては手の指先から第二関節まで程度の深さに設定している。
【００４７】
実施の形態４における靴下１２の胴部４には、ポケット７が形成された側の開口２から胴部４の長手方向に連続する幅広部（大径部）４１と爪先部１８側から連続する幅狭部（小径部）４２とが形成されている。また、これらの幅広部４１と幅狭部４２は胴部４の長手方向に滑らかに連続するように形成されている。
【００４８】
実施の形態４の靴下１２によれば、靴下１２を装着するときに幅広部４１側の開口２から足８を挿入することができるので、靴下１２の装着作業が容易になる利点がある。また、幅広部４１から連続する幅狭部４２により適度な締め付け力で足先を包容するので、靴下１２が足８からずれ落ちることを効果的に防止することができる。
【００４９】
なお、靴下１２の装着方法は、上記実施の形態１で説明したものと同様であり、特に、装着者が自ら靴下１４を装着する際には、脚をクロスさせて右手９で左足（図示せず）に、また、左手（図示せず）で右足８に装着するようにすると装着作業を容易にすることができる。
【００５０】
図８は、本考案の実施の形態５に係る靴下１３を示す正面図である。なお、図８において図１から図７と同様の部位には同一の符号を付し、詳細な説明を省略する場合がある。
【００５１】
図８に示す靴下１３は、図７に示した靴下１２の開口２と爪先部１８の間の胴部４に環状の補強部４３を形成した例を示している。筒状装身具を靴下１３として使用する場合、例えば、足８（図３参照）の踵が位置する部分に環状の補強部４３を形成することにより、靴下１３の胴部４の強度を高めるとともに、装着者の踵への衝撃等の負荷を軽減することができる。また、この補強部４３を設けることにより踵部がなくても装着時にずれ難い靴下１３を提供することができる。
【００５２】
図７及び図８に示した靴下１２，１３の胴部４を二重又はそれ以上の多重（多層）構造としてもよい。これにより、靴下１２，１３の耐久性を高めるとともに、装着部に加わる衝撃等の負荷を軽減することができる。特に、靴下１２，１３を防寒のために装着する場合に胴部４に空気の層を形成することができるので防寒性、保温性を高めることができる。二重構造の靴下１２，１３を作製する場合、１つの筒状編み込み生地を折り返して二重構造としてもよいし、表地と裏地を別の生地で作製してもよい。
【００５３】
以上、実施の形態を説明したが、本考案はこれらに限定されるものではなく、その要旨の範囲内で様々な変形や変更が可能である。
【符号の説明】
【００５４】
１，１１ａ，１１ｂ，１２：サポーター（筒状装身具）
２，３：開口
４：胴部
５，１５：折り返し部
６ａ：縦縫い部
６ｂ，６ｃ：横縫い部
７，１７：ポケット（把手部）
７ａ，１７ａ：指挿入部
７ｂ，１７ｂ：底部
８：足
８ａ：親指
８ｂ：小指
９：手
９ａ：親指
９ｂ：人指し指
９ｃ：中指
９ｄ：薬指
９ｅ：小指
１２，１３：靴下（筒状装身具）
１８：爪先部
４１：幅広部
４２：幅狭部
４３：補強部
【図１】
0003168584.tif 000003
【図２】
0003168584.tif 000004
【図３】
0003168584.tif 000005
【図４】
0003168584.tif 000006
【図５】
0003168584.tif 000007
【図６】
0003168584.tif 000008
【図７】
0003168584.tif 000009
【図８】
0003168584.tif 000010